【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
第１の中性導体と第２の中性導体とを有する電力伝送ケーブルによりデータ信号の通信を可能にする装置において、
前記第１および第２の中性導体を囲んで配置されるコアと、
前記コアの一部を囲んで巻かれている巻線とを具備し、
前記データ信号は前記第１の中性導体とデータポートとの間、前記第２の中性導体と前記データポートとの間で前記コアおよび前記巻線を介して誘導的に結合され、
前記データ信号は前記第１および第２の中性導体を通って差動的に駆動される装置。
【請求項２】
前記コアは前記第１の方向で前記第１の中性導体に第１の電流を誘起し、前記第１の方向と反対の第２の方向で前記第２の中性導体に第２の電流を誘起する請求項１記載の装置。
【請求項３】
前記コアは数字の“８”の字の交差点で接触せずに数字の“８”として地形的に構成されている請求項１記載の装置。
【請求項４】
前記コアは前記第１の中性導体に隣接する第１の領域と前記第２の中性導体に隣接する第２の領域とを具備し、
前記第１の領域は前記数字の“８”の第１のループを含み、
前記第１の導体は前記第１のループを通って導かれ、
前記第２の領域は前記数字の“８”の第２のループを含み、
前記第２の導体は前記第２のループを通って導かれている経路設定される請求項３記載の装置。
【請求項５】
前記コアは前記第１の中性導体に隣接する第１の領域と、前記第２の中性導体に隣接する第２の領域とを具備し、
前記第１の領域は前記数字の“８”の第１のループ中に第１のギャップを有し、
前記第１の導体は前記第１のギャップを通って導かれ、
前記第２の領域は前記数字の“８”の第２のループ中に第２のギャップを有し、
前記第２の導体は前記第２のギャップを通って導かれている請求項３記載の装置。
【請求項６】
前記第１の中性導体と前記第２の中性導体は前記電力伝送ケーブルで相互に実質上平行である請求項１記載の装置。
【請求項７】
前記第１の中性導体は前記コアを通って第１の方向で導かれ、接地された中心タップに接続され、
前記第２の中性導体は前記コアを通って第２の方向で導かれ、前記接地された中心タップに接続されている請求項１記載の装置。
【請求項８】
前記電力伝送ケーブルは複数の中性ワイヤを有し、それら複数の中性ワイヤは実質上相互に平行であり、前記複数の中性導体の個々の第２のサブセットと交互の前記複数の中性導体の個々の第１のサブセットを有し、
前記第１の中性導体は前記複数の中性導体の前記第１のサブセットを含み、
前記第２の中性導体は前記複数の中性導体の前記第２のサブセットを含んでいる請求項１記載の装置。
【請求項９】
前記電力伝送ケーブルの一部を囲んで配置された磁気トロイドをさらに具備し、
前記第１の中性導体と前記第２の中性導体は前記磁気トロイドの下流で共通の終端部材に接続され、
前記コアは前記磁気トロイドの上流で前記第１および第２の中性導体を中心に位置されている請求項１記載の装置。
【請求項１０】
前記コアは開いた磁気コアを具備し、開いた磁気コアは、
前記第１の中性導体に近接し垂直に位置されている第１の脚部と、
前記第２の中性導体に近接し垂直に位置されている第２の脚部と、
周囲に巻付けられている前記巻線を有する前記前記第１の脚部と第２の脚部との間に位置されている第３の脚部とを有する請求項１記載の装置。
【請求項１１】
前記コアはギャップを有する第１の磁気トロイドコアを具備し、前記第１の中性導体はギャップを通って導かれ、第２の磁気トロイドコアはギャップを有し、そのギャップを通って前記第２の中性導体が導かれ、
前記巻線は前記第１の磁気トロイドコアと、前記第２の磁気トロイドコアとの一部の周辺に巻付けられている請求項１記載の装置。
【請求項１２】
前記データポートへ結合された第１のポートを有し、さらに前記データ信号を結合するための第２のポートを有する第１のモデムと、
前記第１のモデムの前記第２のポートへ結合された第１のポートを有し、さらに前記データ信号を結合するための第２のポートを有する第２のモデムとをさらに具備している請求項１記載の装置。
【請求項１３】
前記第１のモデムと前記第２のモデムは背中合せに構成されている請求項１２記載の装置。
【請求項１４】
前記第１のモデムと前記第２のモデムとの間に挿入されたデータルータをさらに具備している請求項１２記載の装置。
【請求項１５】
変成器の１次側の１つの相のための第１の導体と、変成器の２次側の１つの相のための第２の導体とを有する電力伝送ケーブルを備えた電力配電システムによって構成されるデータ通信ネットワークにおいて、
前記第１の導体にデータ信号を誘導結合する第１の結合器と、
前記第２の導体に前記データ信号を結合する第２の結合器とを具備し、
前記データ信号は前記変成器をバイパスするように前記第１の結合器と前記第２の結合器により前記第１の導体と前記第２の導体との間に結合されているデータ通信ネットワーク。
【請求項１６】
前記データ通信ネットワークは前記第２の結合器と前記第の導体との間に前記データ信号を結合するためのキャパシタをさらに具備している請求項１５記載のデータ通信ネットワーク。
【請求項１７】
前記第１の導体は前記電力配電システムの中間電圧グリッドの一部分である請求項１５記載のデータ通信ネットワーク。
【請求項１８】
前記データ信号の反射を吸収するために、前記電力伝送ケーブルの端部に近接して前記第１の導体と接地点との間に接続されている容量結合器をさらに具備し、前記電力伝送ケーブルの前記端部は前記電力配電システムの中間電圧変成器への高電圧の中間電圧出力端部にある請求項１５記載のデータ通信ネットワーク。
【請求項１９】
前記データ信号の反射を吸収するために、前記電力伝送ケーブルの端部に近接して前記第１の導体と接地点との間に接続されている容量結合器と、
前記第１の導体とデータポートとの間で前記データ信号を結合するために前記容量結合器と前記接地点との間に位置されているノードとをさらに具備している請求項１５記載のデータ通信ネットワーク。
【請求項２０】
前記第１の結合器は、
前記第１の導体がそこを通って導かれるコアと、
前記コアの一部の周辺に巻かれている巻線と、
前記データ信号が前記コアと前記巻線とを通って前記第１の導体を経て誘導的に結合される請求項１５記載のデータ通信ネットワーク。
【請求項２１】
前記コアはエアギャップを有している請求項２０記載のデータ通信ネットワーク。
【請求項２２】
前記巻線と直列に接続されているキャパシタをさらに具備している請求項２０記載のデータ通信ネットワーク。
【請求項２３】
前記巻線と並列に接続されているサージ保護装置をさらに具備している請求項２０記載のデータ通信ネットワーク。
【請求項２４】
前記データ信号の反射を吸収するために、前記電力伝送ケーブルの端子に近接して前記第１の導体と接地点との間に接続されている容量結合器をさらに具備し、前記容量結合器は、
キャパシタと、
高周波隔離変成器と、
ヒューズと、
ブリーダ抵抗と、
前記電力伝送ケーブルの特性インピーダンスにほぼ等しい抵抗を有する終端抵抗とを具備している請求項２０記載のデータ通信ネットワーク。
【請求項２５】
前記第１の結合器によって前記データ信号を結合するための第１のポートと、前記データ信号をさらに結合するための第２のポートとを有する第１のモデムと、
前記第１のモデムの前記第２のポートへ結合された第１のポートと、前記第２の結合器によって前記データ信号を結合するための第２のポートとを有する第２のモデムをさらに具備している請求項１５記載のデータ通信ネットワーク。
【請求項２６】
前記第１の結合器は無線周波数（ＲＦ）変成器を具備している請求項１５記載のデータ通信ネットワーク。
【請求項２７】
前記変成器は電圧ステップダウン変成器を具備し、
前記データ通信ネットワークはさらに、
前記第２の導体と接地点との間に接続されている容量結合器と、
前記容量結合器を通過して反射されるときに前記電力伝送ケーブルの特性インピーダンスにほぼ等しいインピーダンスを有するコンポーネントとを具備している請求項１５記載のデータ通信ネットワーク。
【請求項２８】
前記コンポーネントはモデムである請求項２７記載のデータ通信ネットワーク。
【請求項２９】
前記電力配電システムは架空ケーブルと地下ケーブルとの間の転移部を含んでおり、
前記地下ケーブルは前記架空ケーブルの特性インピーダンスよりも低い特性インピーダンスを有し、
前記第１の結合器は前記転移部の近くの前記架空ケーブルに位置されている請求項１５記載のデータ通信ネットワーク。
【請求項３０】
前記電力配電システムは前記第１の導体と接地点との間にコンポーネントを含んでおり、
前記コンポーネントは前記電力伝送ケーブルのインピーダンスよりも小さいインピーダンスを有し、
前記データ通信ネットワークは前記コンポーネントに直列のチョークをさらに具備している請求項１５記載のデータ通信ネットワーク。
【請求項３１】
前記コンポーネントは力率補正キャパシタ、電力線通信（ＰＬＣ）キャパシタからなるグループから選択されている請求項３０記載のデータ通信ネットワーク。
【請求項３２】
前記チョークは前記コンポーネントを前記第１の導体に接続するワイヤの長手方向の周囲に位置する磁気コアを具備している請求項３０記載のデータ通信ネットワーク。
【請求項３３】
スイッチの第１の側で、第１のセグメントを、前記スイッチの第２の側で第２のセグメントを有している相導体を有する電力配電システムによって構成されるデータ通信ネットワークにおいて、
前記第１のセグメントを介してデータ信号を結合し、前記データ信号をさらに結合するためのデータポートを有する第１の誘導結合器と、
前記第１の容量結合器の前記データポートに結合されているデータポートを有し、前記第２のセグメントを介して前記データ信号を結合する第２の容量結合器とを具備し、
前記第１のセグメントと前記第２のセグメントとの間の前記データ信号の伝送は前記スイッチが開かれたときに維持されているデータ通信ネットワーク。
【請求項３４】
電力伝送ケーブルの複数の中性ワイヤのうちの１つを識別する方法において、
選択された中性ワイヤに前記電力伝送ケーブル上の第１の点で信号を供給し、
第１の点から離れている前記電力伝送ケーブル上の第２の点で前記各複数の中性ワイヤにおける前記信号の相対的な大きさを感知し、
前記選択された中性ワイヤを前記相対的な大きさから識別するステップを含んでいる識別方法。
【請求項３５】
前記識別するステップは、最大の相対的な大きさを有する前記複数の中性ワイヤのうちの１つを前記選択された中性ワイヤとして識別する請求項３４記載の方法。
【請求項３６】
供給するステップは、前記信号を前記選択された中性ワイヤへ誘導結合するステップを含んでいる請求項３４記載の方法。
【請求項３７】
前記感知するステップは、前記選択された中性ワイヤからの前記信号を誘導結合するステップを含んでいる請求項３４記載の方法。
【請求項３８】
電力伝送ケーブルの複数の中性ワイヤのうちの１つを識別するシステムにおいて、
電力伝送ケーブルの選択された中性ワイヤからの信号を感知する受信機と、
前記信号の大きさのインジケータとを具備し、
前記電力伝送ケーブル上の第１の点で前記選択されたワイヤに前記信号が供給され、前記受信機は前記第１の点から離れた前記電力伝送ケーブル上の第２の点で前記信号を感知する識別システム。
【請求項３９】
前記選択された中性ワイヤが導かれる放射状のスロットを有するフェライトトロイドと、
前記フェライトトロイドの一部分の周辺に巻かれ、前記受信機の入力に接続されている巻線とをさらに具備し、
前記信号は前記フェライトトロイドを介して前記選択された中性ワイヤから誘導的に結合される請求項３８記載のシステム。
【請求項４０】
前記信号が前記第１の点で前記選択された中性ワイヤへ与えられるための誘導結合器をさらに具備している請求項３８記載のシステム。
【請求項４１】
前記第１の結合器を経て前記データ信号を結合する第１のポートと、前記データ信号をさらに結合するための第２のポートとを有する第１のモデムと、
前記第１のモデムの前記第２のポートを介して前記データ信号を結合する第１のポートと、前記データ信号をさらに結合するための第２のポートとを有するルータと、
前記ルータの前記第２のポートに結合された第１のポートと、前記データ信号を前記第２の結合器を介して結合するための第２のポートとを有する第２のモデムとをさらに具備している請求項１５記載のデータ通信ネットワーク。
【請求項４２】
第１の中性導体と第２の中性導体とを有する電力伝送ケーブルを介してデータ信号の通信を可能にする方法において、前記データ信号を前記第１および第２の中性導体へ差動的に結合する装置を配置する方法。
【請求項４３】
変成器の１次側の１つの相のための第１の導体と、変成器の２次側の１つの相のための第２の導体とを有する電力伝送ケーブルを備えている電力配電システムによってデータ信号の通信を可能にする方法において、
前記第１の導体に前記データ信号を誘導的に結合するように第１の結合器を配置し、
前記第２の導体に前記データ信号を結合するように第２の結合器を配置し、
前記データ信号は前記変成器をバイパスするように前記第１の結合器と前記第２の結合器によって前記第１の導体と前記第２の導体との間に結合されている通信方法。
【請求項４４】
電力配電システムの相導体が導かれることができるコアと、
前記コアの一部の周辺に巻かれている巻線とを具備し、
データ信号は前記コアにより前記相導体と前記巻線との間に誘導結合されるデータ信号の結合器。
【請求項４５】
前記コアはエアギャップを有している請求項４４記載の結合器。
【請求項４６】
前記巻線と直列に接続されているキャパシタをさらに具備している請求項４４記載の結合器。
【請求項４７】
前記巻線と並列に接続されているサージ保護装置をさらに具備している請求項４４記載の結合器。
【請求項４８】
前記結合器は無線周波数（RF）変成器を具備している請求項４４記載の結合器。
【請求項４９】
相導体を有する電力伝送ケーブルを有する電力配電システムによって構成されているデータ通信ネットワークにおいて、
前記相導体が導かれることができるコアと、前記コアの一部の周辺に巻かれている巻線とを具備し、前記データ信号は前記コアにより前記相導体と前記巻線との間に誘導結合されている第１の結合器と、
前記相導体により前記データ信号を結合する第２の結合器とを具備し、
前記データ信号は前記相導体により前記第１の結合器と第２の結合器との間で通信されるデータ通信ネットワーク。
【請求項５０】
前記相導体は前記電力配電システムの中間電圧グリッドの一部分である請求項４９記載のデータ通信ネットワーク。
【請求項５１】
前記第１の結合器を介して前記データ信号を結合する第１のポートと、前記データ信号をさらに結合するための第２のポートとを有する第１のモデムと、
前記第１のモデムの前記第２のポートを介して前記データ信号を結合する第１のポートと、前記データ信号をさらに結合するための第２のポートとを有するルータと、
前記ルータの前記第２のポートに結合された第１のポートと、前記データ信号を前記第２の結合器を介して結合するための第２のポートとを有する第２のモデムとをさらに具備している請求項４９記載のデータ通信ネットワーク。